(57)【要約】      （修正有）【課題】磁石を用いて様々な形状に接合しやすく、同時に立方体、三角錐、三角柱及び正方体隅欠け形状の積み木を用いて、様々な形状の組み合わせを実現することができ、安全性を向上させ、経済的で環境に優しい磁気積み木の組み合わせを提供する。【解決手段】磁気積み木の組み合わせは、少なくとも４種類の形状の積み木を含み、積み木は密封布表面を含み、布表面の内部には表面の全体形状と適合するスポンジが充填され、スポンジと布表面との間には磁石５が設置される。４種類の積み木はそれぞれ正方体積み木１、三角錐積み木、三角柱積み木及び隅欠け積み木である。【選択図】図１
0003235212.tif 000002
【実用新案登録請求の範囲】
【請求項１】
少なくとも４種類の形状の積み木を含み、前記積み木は密封布表面を含み、前記布表面の内部には表面の全体形状と適合するスポンジが充填され、スポンジと表面との間には磁石（５）が設置され、
４種類の積み木はそれぞれ正方体積み木（１）、三角錐積み木（３）、三角柱積み木（２）及び隅欠け積み木（４）であり、
前記三角柱積み木（２）の形状は、正方体積み木の上下面の対角線に沿って切断して得られた形状と同じであり、
前記三角錐積み木（３）の形状は正方体積み木の四辺の角に沿って切断して得られた三角錐の形状と同じであり、三角錐を切断した後の形状は隅欠け積み木（４）の形状と同じであり、
各形状の積み木の同一面の磁石（５）は外側に向けられる面の磁性が同じであり、
全ての積み木のうち少なくとも一面の磁石はN極が外側に向けられ、且つ全ての積み木のうち少なくとも一面の磁石はS極が外側に向けられる、ことを特徴とする磁気積み木の組み合わせ。
【請求項２】
前記三角錐積み木（３）及び隅欠け積み木（４）の切断面に磁石を配置せず、前記三角柱積み木（２）の切断面に磁石を配置せず、残りの面の角に均等に磁石を配置する、ことを特徴とする請求項１に記載の磁気積み木の組み合わせ。
【請求項３】
同一形状の積み木の磁石（５）は外側に向けられる面の磁性が同じである、ことを特徴とする請求項１に記載の磁気積み木の組み合わせ。
【請求項４】
前記正方体積み木（１）の辺の長さは５−２０ｃｍである、ことを特徴とする請求項１に記載の磁気積み木の組み合わせ。
【請求項５】
該磁気積み木の組み合わせはさらに球体、直方体、円柱体、台形、角錐台形積み木のうち一種類又は複数種類を含む、ことを特徴とする請求項１に記載の磁気積み木の組み合わせ。
【考案の詳細な説明】
【技術分野】
【０００１】
本考案は積み木分野に関し、具体的には磁気積み木の組み合わせに関する。
【背景技術】
【０００２】
従来の積み木玩具は、ほぞ継ぎ構造を用いて接続する方式が多く、このような積み木玩具は主に機械的な力によって相互に重ねられ、非常に簡単な造形に接合できるだけであり、且つ倒れやすい。
同時に積み木はその多くがプラスチック又は木質の積み木であり、子供が使用する場合に安全上のリスクがあり、低年齢児の使用には適さない。
【考案の概要】
【考案が解決しようとする課題】
【０００３】
従来技術の上記欠点に対して、本考案は磁気積み木の組み合わせを提供し、該積み木の組み合わせは磁石を用いて様々な形状に接合しやすく、同時に立方体、三角錐、三角柱及び正方体隅欠け形状の積み木を用いて、様々な形状の組み合わせを実現することができる。さらに、積み木の表面は布を用い、内部はスポンジを用い、安全性を向上させることができ、経済的で環境に優しい。
【課題を解決するための手段】
【０００４】
本考案は磁気積み木の組み合わせを提供し、少なくとも４種類の形状の積み木を含み、積み木は密封布表面を含み、布表面の内部には布表面の全体形状と適合するスポンジが充填され、スポンジと布表面との間には磁石が設置される。磁石の固定については、スポンジの外側又は布表面の内側に接着することができ、又はスポンジと布表面との間の隙間に直接嵌め込むことができる。
４種類の積み木はそれぞれ正方体積み木、三角錐積み木、三角柱積み木及び隅欠け積み木である。
三角柱積み木の形状は正方体積み木の上下面の対角線に沿って切断して得られた形状と同じである。
【０００５】
三角錐積み木の形状は正方体積み木の四辺の角に沿って切断して得られた三角錐の形状と一致し、三角錐を切断した後の形状は隅欠け積み木の形状と同じである。
各形状の積み木の同一面の磁石は、外側に向けられる磁性が同じである。
全ての積み木のうち少なくとも一面の磁石はN極が外側に向けられ、且つ全ての積み木のうち少なくとも一面の磁石はS極が外側に向けられる。
【０００６】
本考案の更なる改良として、三角錐積み木及び隅欠け積み木の切断面に磁石を配置せず、三角柱積み木の切断面に磁石を配置せず、残りの面の角に均等に磁石を配置する。本技術的解決手段を用いることにより、様々な形状の利点を発揮させて、立方体ではないより多くの形状に組み合わせることができる。
【０００７】
本考案の更なる改良として、同一形状の積み木の磁石は外側に向けられる磁性が同じである。本技術的解決手段を用いることにより、子供が使用する時に接合が簡単である。
本考案の更なる改良として、正方体積み木の辺の長さを５−２０ｃｍとする。本技術的解決手段を用いることにより、子供が使いやすい。
【０００８】
本考案の更なる改良として、該磁気積み木の組み合わせはさらに球体、直方体、円柱体、台形、角錐台形の積み木のうち一種類又は複数種類を含むことである。本技術的解決手段を用いることにより、接合製品の種類を増加させる。
【考案の効果】
【０００９】
本考案の有益な効果は以下のとおりである。
（１）該積み木の組み合わせは磁石を用いることで様々な形状の接合を実現し、子供が扱うのに適しており、さらに従来のほぞ継ぎ構造による接続と比較して、より多くの形状を組み合わせることができる。
【００１０】
（２）該積み木は立方体、三角錐、三角柱及び正方体の隅欠け形状の積み木を用い、各形状の積み木は正方体から「カットして」作製されており、これにより接合時に磁石が互いに吸引する面が適合して、接合しやすく、且つ安定性を向上させるとともに、磁石の配置位置が各形状の利点を発揮させ、複数の形状の接合を実現する。
【００１１】
（３）積み木の表面は布を用い、内部はスポンジを用い、使用の安全性を向上させることができ、経済的で環境に優しく、軽く、子供、特に低年齢児の使用に適する。
【図面の簡単な説明】
【００１２】
本考案の実施例又は従来技術の技術的解決手段をより明確に説明するために、以下に実施例又は従来技術の説明に必要な図面を簡単に説明する。明らかに、当業者であれば、創造的な労力を要することなく、これらの図面に基づいて他の図面を得ることができる。
【図１】は本考案の正方体積み木の構造模式図である。
【図２】は本考案の三角柱積み木の構造模式図である。
【図３】は本考案の三角錐積み木の構造模式図である。
【図４】は本考案の隅欠け積み木の構造模式図である。
【考案を実施するための形態】
【００１３】
当業者が本考案における技術的解決手段をよりよく理解するために、以下に本考案の実施例における図面を参照しながら、本考案の実施例における技術的解決手段を明確に、かつ完全に説明する。明らかに、説明された実施例は単に本考案の実施例の一部に過ぎず、全ての実施例ではない。本考案の実施例に基づき、当業者が創造的な労力を要することなく取得した他の全ての実施例は、いずれも本考案の保護範囲に属する。
実施例１
【００１４】
磁気積み木の組み合わせであって、少なくとも４種類の形状の積み木を含み、積み木は密封布表面を含み、布表面の内部には表面の全体形状と適合するスポンジが充填され、スポンジと表面との間には磁石５が設置される。
４種類の積み木はそれぞれ正方体積み木１、三角錐積み木３、三角柱積み木２及び隅欠け積み木４である。
三角柱積み木２の形状は、正方体積み木の上下面の対角線に沿って切断して得られた形状と同じである。
【００１５】
三角錐積み木３の形状は、正方体積み木の四辺の角に沿って切断して得られた三角錐の形状と同じであり、三角錐を切断した後の形状は隅欠け積み木４の形状と同じである。
各形状の積み木の同一面の磁石は、外側に向けられる磁性が同じである。
全ての積み木のうち少なくとも一面の磁石はN極が外側に向けられ、且つ全ての積み木のうち少なくとも一面の磁石はS極が外側に向けられる。
実施例２
【００１６】
実施例１に基づき、三角錐積み木３と隅欠け積み木４の切断面に磁石を配置せず、三角柱積み木２の切断面に磁石を配置せず、残りの面の角に均等に磁石を配置する。
同一形状の積み木の磁石５は外側に向けられる面の磁性が同じである。
正方体積み木１の辺の長さは５−２０ｃｍである。
該磁気積み木の組み合わせはさらに球体、直方体、円柱体、台形、角錐台形積み木のうち一種類又は複数種類を含む。
具体的には、使用する際に、異なる磁極の二つの積み木の面を順に接触させ、それにより異なる形状に接合する。
【００１７】
好ましい実施例及び図面を参照して本考案について詳しく説明したが、本考案はこれに限定されるものではない。本考案の趣旨及び実質から逸脱することなく、当業者は本考案の実施例に対して様々な等価の修正又は置換を行うことができ、これらの修正又は置換はいずれも本考案の包括範囲内/当業者に既知の本考案が開示する技術範囲内で、容易に変更又は置換を想到でき、それらはいずれも本考案の保護範囲内に含まれるべきである。従って、本考案の保護範囲は実用新案登録請求の保護範囲を基準とすべきである。
【符号の説明】
【００１８】
１、正方体積み木
２、三角柱積み木
３、三角錐積み木
４、隅欠け積み木
５、磁石
【図１】
0003235212.tif 000003
【図２】
0003235212.tif 000004
【図３】
0003235212.tif 000005
【図４】
0003235212.tif 000006